(57)【要約】【課題】１つまたは複数の筆記体を収容する収容部を有した摺動ケースと回転カムとで構成された回転繰出式筆記具において、落下による等の衝撃を筆記具に与ても、摺動ケースが回転カムから抜け抜け出さないような、かつ従来の組立方法よりも複雑な工程や新たな組立治具を要することなく、従来と同様な方法で組立ができる構造とする。【解決手段】摺動ケース６に設けた係止突部１１に、回転カム筒８の内壁面に設けた被係止突部２２に当接可能な複数の突出部２８を周状に設ける。かつ、筆記体の筆記先端部が軸筒の先端開口部より突出した際および全ての筆記体の筆記先端部が軸筒の先端開口部より没入した際に、いずれかの突出部２８が前記被係止突部２２に当接するように、筆記体の筆記先端部が軸筒の先端開口部より突出した状態から没入した状態へ移動の途中で、前記いずれの突出部２８も前記被係止突部２２に当接しない状態を有するように設ける。【選択図】図２
2011194845.tif 000002
【特許請求の範囲】
【請求項１】
１つまたは複数の筆記体を収容する収容部を有し後端部に軸径方向に突出したリング状の係止突部を設けた摺動ケースを、回転操作体を回転することで回転可能な回転カム内に配し、摺動ケースの係止突部を回転カムまたは回転カムと連動して回転可能に配した部材の内壁面に設けた１つまたは複数の被係止突部に当接させて、摺動ケースが回転カムに対して前方へ移動しないようにし、摺動ケースの収容部に収容した筆記体を、回転操作体を回転して回転カムが摺動ケースに対して回転することにより、筆記体の筆記先端部を軸筒の先端開口部より出没してなる回転繰出式筆記具において、前記摺動ケースに設けた係止突部に、前記被係止突部に当接可能な軸径方向の外側方向に突出した複数の突出部を周状に、筆記体の筆記先端部が軸筒の先端開口部より突出した際および全ての筆記体の筆記先端部が軸筒の先端開口部より没入した際には、前記複数のいずれかの突出部が前記被係止突部に当接し、筆記体の筆記先端部が軸筒の先端開口部より突出した状態から没入した状態への移動の途中で、前記複数のいずれの突出部も前記被係止突部に当接しない状態を有するように設けたことを特徴とする回転繰出式筆記具。
【発明の詳細な説明】
【技術分野】
【０００１】
本発明は、軸筒内に配した摺動ケースと回転カムとで構成される回転繰出機構を有した回転繰出式筆記具に関するものである。
【背景技術】
【０００２】
回転操作体を回転することにより、軸筒内に配した回転繰出機構により軸筒内に収容した筆記体の筆記先端部を軸筒の先端開口部から出没させる構造の回転繰出式筆記具がある。中でも、後端にカム突起を設けた摺動体を装着した１つまたは複数の筆記体を収容する収容部を有した摺動ケースと、回転操作体を回転することにより直接または間接的に回転可能な回転カムとで構成された回転繰出機構を有した構造のものがある。
【０００３】
前記構造について、さらに図１、図５および図６を用いて具体的に説明すると、図１に示すように、軸筒２は、前軸２ａと回転操作体としての後軸２ｂと、前軸２ａの前端（図１において左側）に接着により固着した先窄み状の口金部２ｃとで構成してある。摺動ケース６は、例えば３本の筆記体を収容する筆記体収容溝５を有する収容部９の後方に、該収容部９の外径より小径な係止部１０を形成して、後端に周状に突出した係止突部１１を設けてある。回転カムは後軸２ｂと別体で形成して回転カム筒８とし、軸心方向に延びた傾斜面（図示せず）を有したカム面７と、内壁面に前記摺動ケース６の係止突部１１に当接する内方に突出した被係止突部２２を周状に１つまたは複数（図５および図６においては３つ）設けた構造としてある。摺動ケース６の前端部には連結管１５が固着してあり、前軸２ａを、該前軸２ａの後端を前記連結管１５に圧入状態で嵌着して、後軸２ｂに対して着脱自在に連接した構造としてある。
【０００４】
摺動ケース６の筆記体収容溝５に、ボールペンレフィルの筆記体３とシャープペンシルユニットの筆記体４をコイルスプリング２９を介在して後方に付勢して収容し、筆記体３、４の後端に装着した摺動体３０に設けたカム係止突起３１を、回転カム筒８のカム面７に後方への押圧状態で当接させてある。後軸２ｂを前軸２ａに対して回転することで、回転カム筒８も回転し、回転カム筒８のカム面７に当接した各々の筆記体３、４の摺動体３０に設けたカム係止突起３１はカム面７に沿って移動し、摺動体３０および筆記体３、４は前後動し、各筆記体３、４の筆記先端部３２、３５を軸筒２（口金部２ｃ）の先端開口部３３より出没する。
【０００５】
後軸２ｂ内に、回転カム筒８と摺動ケース６を配するが、まず、回転カム筒８を後軸２ｂに連動して回転可能とするために、後軸２ｂに設けた係止凸部１６を回転カム筒８に形成した軸心方向に延びた係止溝１７に係止して配してある。次に、回転カム筒８が摺動ケース６の外周面上を回転可能にかつ摺動ケース６が回転カム筒８から抜け出さないようにするために、摺動ケース６を回転カム筒８内に挿入し、回転カム筒８に設けた被係止突部２２を摺動ケース６の係止部１０に設けた係止突部１１が乗越えさせて配する。図５および図６に示すように、各筆記体３、４の筆記先端部３２、３５が軸筒２（口金部２ｃ）の先端開口部３３より突出した際および没入した際にも、常時摺動ケース６の係止突部１１と回転カム筒８の被係止突部２２は当接状態にあり、摺動ケース６が回転カム筒８から抜け出すことはない。しかし、組立時の摺動ケース６の前記挿入に際し、摺動ケース６の係止突部１１は回転カム筒８の被係止突部２２を乗越え可能な係止突部１１と被係止突部２２との寸法関係にする必要があり、すなわち係止突部１１と被係止突部２２との軸径方向の当接幅を大きくとれないために、落下した際の衝撃等により、摺動ケース６が回転カム筒８から抜け出してしまい、前軸２ａと後軸２ｂが離脱してしまうという問題があった。
【先行技術文献】
【特許文献】
【０００６】
【特許文献１】特開２００５−１６１８２９号号公報
【発明の概要】
【発明が解決しようとする課題】
【０００７】
本発明は、１つまたは複数の筆記体を収容する収容部を有し後端部に軸径方向に突出したリング状の係止突部を設けた摺動ケースを、回転操作体を回転することで回転可能な回転カム内に配し、摺動ケースの係止突部を回転カムまたは回転カムと連動して回転可能に配した部材の内壁面に設けた１つまたは複数の被係止突部に当接させて、摺動ケースが回転カムに対して前方へ移動しないようにし、摺動ケースの収容部に収容した筆記体を、回転操作体を回転して回転カムが摺動ケースに対して回転することにより、筆記体の筆記先端部を軸筒の先端開口部より出没してなる回転繰出式筆記具において、落下による等の衝撃を筆記具に与えても、容易に摺動ケースが回転カムから抜け出さないような、かつ従来の組立工程に対して煩雑な工程が付加されることなくまた新たな組立治具を要することなく、同様な組立工程で組立ができる構造とすることを目的とする。
【課題を解決するための手段】
【０００８】
本発明は、
「  １つまたは複数の筆記体を収容する収容部を有し後端部に軸径方向に突出したリング状の係止突部を設けた摺動ケースを、回転操作体を回転することで回転可能な回転カム内に配し、摺動ケースの係止突部を回転カムまたは回転カムと連動して回転可能に配した部材の内壁面に設けた１つまたは複数の被係止突部に当接させて、摺動ケースが回転カムに対して前方へ移動しないようにし、摺動ケースの収容部に収容した筆記体を、回転操作体を回転して回転カムが摺動ケースに対して回転することにより、筆記体の筆記先端部を軸筒の先端開口部より出没してなる回転繰出式筆記具において、前記摺動ケースに設けた係止突部に、前記被係止突部に当接可能な軸径方向の外側方向に突出した複数の突出部を周状に、筆記体の筆記先端部が軸筒の先端開口部より突出した際および全ての筆記体の筆記先端部が軸筒の先端開口部より没入した際には、前記複数のいずれかの突出部が前記被係止突部に当接し、筆記体の筆記先端部が軸筒の先端開口部より突出した状態から没入した状態への移動の途中で、前記複数のいずれの突出部も前記被係止突部に当接しない状態を有するように設けたことを特徴とする回転繰出式筆記具。」
である。
【０００９】
回転繰出式筆記具における回転操作体とは、該回転操作体を回転することにより直接あるいは間接的に回転カムを連動して回転するように配した、軸筒に連接して外方に露出した部材のことで、例えば、軸筒を前軸と後軸とで構成し、後軸を前軸に対して回転可能に連接し、回転カムを後軸に直接あるいは間接的に連接した際の後軸であったり、回転カムに直接あるいは間接的に連接し、軸筒に対して後端に回転可能に配した際の頭冠等のことである。
【００１０】
回転カムは、軸筒の内壁面に一体に形成して設けても良いし、回転カム筒として軸筒と別体に形成して軸筒内に設けても良く、適宜選択すれば良い。また、摺動ケースの係止突部に当接する被係止突部を設ける回転カムと連動して回転可能な部材とは、例えば、回転カムを後軸の内壁面に一体に設けた際の後軸や、後軸に連動して設けた後軸内に配する内部材等である。
【発明の効果】
【００１１】
本発明の回転繰出式筆記具は前記したような構造なので、筆記具に落下による等の衝撃を与えても、摺動ケースに設けた突出部が被係止突部に当接しているので、容易に摺動ケースが回転カムから抜け出して離脱することがない。また、組立の際の位置合せは必要となるが、従来の組立と同様に、摺動ケースを回転カム内に挿入すれば良く、煩雑な工程が付加されることなくまた新たな組立するための治具を必要とせずに組立ることができ、従来の組立工程に対して製造コストの点でもアップすることなく行えるという利点がある。
【図面の簡単な説明】
【００１２】
【図１】本発明の実施例を示す、要部を断面した回転繰出式筆記具の縦断面図である。
【図２】図１におけるＡ−Ａ線部分の、クリップ部分を省略した拡大断面図である。
【図３】筆記体の筆記先端部が軸筒の先端開口部に没入した際の、図１におけるＡ−Ａ線部分の、クリップ部分を省略した拡大断面図である。
【図４】組立時の、図１におけるＡ−Ａ線部分の、クリップ部分を省略した拡大断面図である。
【図５】従来の回転繰出式筆記具における筆記体の筆記先端部が軸筒の先端開口部より突出した際の、図１におけるＡ−Ａ線部分の、クリップ部分を省略した拡大断面図である。
【図６】従来の回転繰出式筆記具におけるは筆記体の筆記先端部が軸筒の先端開口部に没入した際の、図１におけるＡ−Ａ線部分の、クリップ部分を省略した拡大断面図である。
【発明を実施するための形態】
【００１３】
本発明の回転繰出式筆記具は、回転繰出機構が、筆記体を収容する収容部を有した摺動ケースと、回転操作体を回転することで摺動ケースの外周面上を回転可能に配した回転カムとで構成されるものである。
【実施例】
【００１４】
本発明の実施例を図面を用いて説明する。
本実施では、便宜上、シャープペンシルユニットの筆記体とボールペンレフィルの筆記体を軸筒内に収容した回転繰出式の複合筆記具として説明するが、これに限定されるものではなく、軸筒内に、複数のボールペンレフィルの筆記体を収容した複合筆記具であっても良いいし、あるいは、１つのシャープペンシルユニットまたはボールペンレフィルの筆記体を収容したものであっても良い。
【００１５】
図１〜図４に示す本発明の実施例の回転繰出式筆記具１は、軸筒２が金属製で、前軸２ａと回転操作体としての後軸２ｂと、前軸２ａの前端（図１において左側）に接着により固着した先窄み状の口金部２ｃとで構成してある。
【００１６】
後軸２ｂの内部には、従来の回転繰出式筆記具と同様に、周方向にボールペンレフィルの筆記体３とシャープペンシルユニットの筆記体４を収容する筆記体収容溝５を有した摺動ケース６と、内壁面にカム面７を形成した回転カム筒８を配してある。
【００１７】
前記摺動ケース６は、従来の回転繰出式筆記具における摺動ケースと同様に、筆記体３、４を収容する周方向において等間隔に３つの筆記体収容溝５を有する収容部９と、該収容部９の外径より小径な係止部１０を有しており、該係止部１０の後端には軸径方向に突出したリング状の係止突部１１を設けてある。本実施例においては、収容部９の前方（図１において左側）には、前軸２の後端内に挿入する段部１２を有した、収容部９の外径より大径で前軸２の後端の外径と略同径とした接続部１３を設けてあり、該接続部１３の前方には小径な先端筒部１４を形成して、対向する外側面に軸心方向に延びた突部（図示せず）を設けて前軸の後端部２ａｂ内に圧入可能に形成した連結管１５を固着してある。
【００１８】
回転カム筒８は、後軸２ｂの後端部２ｂｂに内側に凹ませて形成した係止凸部１６を回転カム筒の後端部８ｂに形成した軸心方向に延びた係止溝１７に係止して、回転カム筒８が後軸２ｂに連動して回転可能に設けてあり、後軸２ｂの先端には装飾用金輪１８を、後端部１８ｂを後軸２ｂ内に配して接着により固着して装着してあり、回転カム筒８の先端部８ａは前記装飾用金輪１８の後端部１８ｂ内に位置するように、後軸２ｂ内に配してある。
【００１９】
回転カム筒８の内壁面には、従来の回転繰出式筆記具における回転カムと同様に、内側に突出して設けた、図示していないが端面を傾斜面と平坦面とで構成したカム部１９を設けてある。また、回転カム筒８内に摺動ケース６を挿着した際の摺動ケースの係止突部１１に対向した前記カム部１９の後方の回転カム筒８の内壁面は、内径を小径とした小径部２０として形成してあり、該小径部２０とカム部１９とで構成された段部２１には、前記摺動ケース６の係止突部１１に係止可能な内方に突出した被係止突部２２を設けてある。
【００２０】
回転カム筒８は、従来の回転繰出式筆記具と同様に、後軸２ｂの後方に配した消しゴム受け台２３に、クリップ２４の脚部２４ａと金輪２５を介在して螺着しかつ接着して設けてあり、回転カム筒８の後端部は後軸２ｂの後端部に当接し、回転カム筒８が後軸２ｂ内を前後動しないようにしてある。消しゴム受け台２３には消しゴム２６が挿着してあり、後軸２ｂの後端には頭冠２７を消しゴム受け台２３に着脱自在に螺着して配してある。
【００２１】
前記摺動ケース６のリング状の係止突部１１に、図４に示すように、軸径方向の外側方向に突出した、回転カム筒８に設けた３つの各々の被係止突部２２間に、離間した２つの突出部２８を設け、前記各突出部２８が回転カム筒８の各被係止突部２２に対向しないように位置合せして、摺動ケース６を回転カム筒８内に挿入し、被係止突部２２が摺動ケース６の係止突部１１を乗越えて挿入することで、摺動ケース６が回転カム筒８に対して前方へ移動しないようにしてある。摺動ケース６の係止部１０は、回転カム筒８の被係止突部２２が回転可能な外径としてある。
【００２２】
従来の回転繰出式筆記具と同様に、摺動ケース６の各々の筆記体収容溝５には、ボールペンレフィルの筆記体３とシャープペンシルユニットの筆記体４を、コイルスプリング２９を介在して後方（図１において右側方向）に付勢して収容してあり、各々の筆記体３、４の後端部に装着した摺動体３１に設けたカム係止突起３２を、回転カム筒８のカム面７に押圧状態で当接させてある。
【００２３】
前軸２ａを、前記連結管１６に圧入状態で挿入し、前軸２ａの後端を摺動ケース６の段部１３に当接して後軸２ｂに対して着脱自在に連接してある。
【００２４】
本実施例の回転繰出式筆記具において、例えば、図１に示すようにボールペンレフィルの筆記体３の筆記先端部３２を軸筒２の先端開口部３３より突出させるには、後軸２ｂを前軸２ａに対して回転して回転カム筒８を回転し、回転カム筒８のカム面７に当接した各々の筆記体３、４の摺動体３０に設けたカム係止突起３１がカム面７に沿って移動することで、各々の摺動体３０は前後動し、順次、各々の摺動体３０のカム係止突起３１がカム面７の先端に設けた凹溝３４に係止していくので、前記ボールペンレフィルの筆記体３の筆記先端部３２が軸筒２の先端開口部３３より突出した時に後軸２ｂの回転を止めれば良い。ボールペンレフィルの筆記体３の筆記先端部３２は、先端開口部３３より突出した状態で維持される。
【００２５】
前記摺動ケース６の係止突部１１に設けた突出部２８は、筆記体３、４の筆記先端部３３、３６が軸筒２の先端開口部３４より突出した際、および全ての筆記体３、４の筆記先端部３２、３５が軸筒２の先端開口部３３より没入した際には、図２または図３に示すように、回転カム筒８の被係止突部２２に当接するように設けてあり、本実施例の回転繰出式筆記具１の使用中にあるいは携帯時に、軸筒２に落下による等の衝撃を与えても、摺動ケース６が回転カム筒８から抜け出してしまうことはない。
【産業上の利用可能性】
【００２６】
筆記体を収容する収容部を有した摺動ケースと、回転操作体を回転することで摺動ケースの外周面上を回転可能に配した回転カムとで構成された回転繰出機構を有した回転繰出式筆記具において、落下等による衝撃を軸筒に与えても、容易に摺動ケースが回転カムから離脱しないようにしたい場合に利用可能である。
【符号の説明】
【００２７】
１  回転繰出式筆記具
２  軸筒
２ａ  前軸
２ｂ  後軸
３，４  筆記体
６  摺動ケース
８  回転カム
９  収容部
１１  係止突部
２２  被係止突部
２８  突出部
３２、３５  筆記先端部
３３  先端開口部
【図１】
2011194845.tif 000003
【図２】
2011194845.tif 000004
【図３】
2011194845.tif 000005
【図４】
2011194845.tif 000006
【図５】
2011194845.tif 000007
【図６】
2011194845.tif 000008